(57)【要約】【課題】廃棄時等に、バルブステムから操作ボタンを容易に取り外すことができるようにする。【解決手段】操作ボタン１８のボタン本体２０には、内部の噴出通路２０ｄを挟む外周両面に平面部２０ｆを平行に形成するとともに、その平面部２０ｆの上を横方向に突出して平面部２０ｆの上に指掛け段部２０ｇを形成してなる。また、ボタン本体２０の外周中段に上向き段部２０ｈを形成し、その上向き段部２０ｈに、各々平面部２０ｆに隣接して上下に貫通するツール挿入用孔２０ｉを形成してなる。【選択図】図３
2008254754.tif 000002
【特許請求の範囲】
【請求項１】
ボタン本体の中心に下向きにステム嵌合穴を設けるとともに、外向きに開口してノズル嵌合穴を設け、そのノズル嵌合穴にノズル部材をはめ付けて、そのノズル部材の噴口と前記ステム嵌合穴とを連通する噴出通路を内部に形成してなるエアゾール式噴射器用の操作ボタンにおいて、
前記噴出通路を挟む外周両側に平面部を形成するとともに、その平面部の上に突出して指掛け段部を形成してなることを特徴とするエアゾール式噴射器用の操作ボタン。
【請求項２】
ボタン本体の中心に下向きにステム嵌合穴を設けるとともに、外向きに開口してノズル嵌合穴を設け、そのノズル嵌合穴にノズル部材をはめ付けて、そのノズル部材の噴口と前記ステム嵌合穴とを連通する噴出通路を内部に形成してなるエアゾール式噴出器用の操作ボタンにおいて、
前記ボタン本体の外周中段に上向き段部を形成し、その上向き段部にツール挿入用孔を形成してなることを特徴とするエアゾール式噴射器の操作ボタン。
【請求項３】
ボタン本体の中心に下向きにステム嵌合穴を設けるとともに、外向きに開口してノズル嵌合穴を設け、そのノズル嵌合穴にノズル部材をはめ付けて、そのノズル部材の噴口と前記ステム嵌合穴とを連通する噴出通路を内部に形成してなるエアゾール式噴射器用の操作ボタンにおいて、
前記噴出通路を挟む外周両側に平面部を形成するとともに、その平面部の上に突出して指掛け段部を形成し、
かつ前記ボタン本体の外周中段に上向き段部を形成し、その上向き段部にツール挿入用孔を形成してなることを特徴とするエアゾール式噴射器用の操作ボタン。
【請求項４】
請求項１ないし３のいずれか１に記載の操作ボタンをバルブステムに、そのバルブステムの先端を前記ステム嵌合穴にはめ込むことにより取り付けてなることを特徴とする、エアゾール式噴射装置。
【請求項５】
請求項４に記載のエアゾール式噴射装置を容器に取り付けてなることを特徴とする、エアゾール式噴射器。
【発明の詳細な説明】
【技術分野】
【０００１】
この発明は、ボタン本体の中心に下向きにステム嵌合穴を設けるとともに、外向きに開口してノズル嵌合穴を設け、そのノズル嵌合穴にノズル部材をはめ付けて、そのノズル部材の噴口とステム嵌合穴とを連通する噴出通路を内部に形成してなるエアゾール式噴射器用の操作ボタンに関する。および、そのような操作ボタンをバルブステムに、そのバルブステムの先端を前記ステム嵌合穴にはめ込むことにより取り付けてなるエアゾール式噴射装置に関する。および、そのようなエアゾール式噴射装置を容器に取り付けてなる、脱臭用、殺虫用等のエアゾール式噴射器に関する。
【背景技術】
【０００２】
従来、エアゾール式噴射器の中には、容器から上向きに突出するバルブステムに操作ボタンを取り付け、その操作ボタンを押し下げ操作することにより容器の内容物をバルブステムから吐出して操作ボタンのボタン本体の噴出通路を通して操作ボタンに取り付けるノズル部材の噴口から噴射するものがある。
【０００３】
操作ボタンは、例えば図５に示すように、ボタン本体１の外周中段に上向き段部２を形成し、頂面にローレット付き指当て部３を設けるとともに、外周両側に平面部４を形成し、ノズル嵌合孔に圧入して、噴口５を有するノズル部材６を保持していた。
【０００４】
ところで、この種のエアゾール式噴射装置では、廃棄時に、ガス抜きを行うときとか、分別を行うときとかなどに、平面部４に指を当ててつまんで、バルブステムから、図５に示すような操作ボタンを取り外す必要があった。
【０００５】
【特許文献１】特開２０００−２１９２８３号公報
【特許文献２】特開２００４−１１４０１７号公報
【発明の開示】
【発明が解決しようとする課題】
【０００６】
しかしながら、このようなときに指が滑るなどして、バルブステムから操作ボタンがなかなか外れずに、手間を要することがあった。
【０００７】
そこで、この発明の目的は、廃棄時等に、バルブステムから操作ボタンを容易に取り外すことができるようにすることにある。
【課題を解決するための手段】
【０００８】
かかる目的を達成すべく、ボタン本体の中心に下向きにステム嵌合穴を設けるとともに、例えばボタン本体の外周面に開口して横向きにノズル嵌合穴を設け、そのノズル嵌合穴にノズル部材をはめ付けて、そのノズル部材の噴口とステム嵌合穴とを連通する噴出通路を内部に形成してなるエアゾール式噴射器用の操作ボタンにおいて、
この発明の第１の態様は、噴出通路を挟む外周両側に平面部を形成するとともに、その平面部の上に突出して指掛け段部を形成してなるものである。そして、廃棄時等に、バルブステムから操作ボタンを取り外すとき、平面部に指を当ててつまみ、指掛け段部に指を掛けて引き上げる。
【０００９】
この発明の第２の態様は、ボタン本体の外周中段に上向き段部を形成し、その上向き段部にツール挿入用孔を形成してなるものである。そして、廃棄時等に、バルブステムから操作ボタンを取り外すとき、ツール挿入用孔に、ドライバ等のツールを挿入して、てこの働きを利用するなどして操作ボタンを外す。
【００１０】
この発明の第３の態様は、噴出通路を挟む外周両側に平面部を形成するとともに、その平面部の上に突出して指掛け段部を形成し、かつボタン本体の外周中段に上向き段部を形成し、その上向き段部にツール挿入用孔を形成してなるものである。そして、廃棄時等に、バルブステムから操作ボタンを取り外すとき、平面部に指を当ててつまみ、指掛け段部に指を掛けて引き上げ、またはツール挿入用孔に、ドライバ等のツールを挿入して、てこの働きを利用するなどして操作ボタンを外す。
【００１１】
この発明の第４の態様は、上記第１〜３の態様の操作ボタンをバルブステムに、そのバルブステムの先端をステム嵌合穴にはめ込むことにより取り付けてなることを特徴とする、エアゾール式噴射装置である。
【００１２】
この発明の第５の態様は、この第４の態様のエアゾール式噴射装置を容器に取り付けてなることを特徴とする、エアゾール式噴射器である。
【発明の効果】
【００１３】
この発明の第１の態様によれば、廃棄時等に、バルブステムから操作ボタンを取り外すとき、平面部に指を当ててつまみ、指掛け段部に指を掛けて引き上げるので、操作ボタンを滑らないようにしっかりとつまんで操作ボタンに十分に力を掛けて容易に外すことができる。
【００１４】
この発明の第２の態様によれば、廃棄時等に、バルブステムから操作ボタンを取り外すとき、ツール挿入用孔にツールを挿入して、てこの働きを利用するなどして、操作ボタンを容易に外すことができる。
【００１５】
この発明の第３の態様によれば、廃棄時等に、バルブステムから操作ボタンを取り外すとき、外周両側の平面部に指を当ててつまみ、指掛け段部に指を掛けて引き上げ、操作ボタンを滑らないようにしっかりとつまんで操作ボタンに十分に力を掛け、またはツール挿入用孔にツールを挿入して、てこの働きを利用するなどして、操作ボタンを容易に外すことができる。
【００１６】
この発明の第４の態様によれば、バルブステムから操作ボタンを容易に外すことができるエアゾール式噴射装置を提供することができる。
【００１７】
この発明の第５の態様によれば、バルブステムから操作ボタンを容易に外すことができるエアゾール式噴射器を提供することができる。
【発明を実施するための最良の形態】
【００１８】
以下、図面を参照しつつ、この発明の実施の最良形態につき説明する。
図１には、容器にエアゾール式噴射装置を取り付けてなるエアゾール式噴射器の外観を示す。
【００１９】
図中符号１０は、容器である。容器１０は、例えばステンレス材料やアルミニウム材料を用いてつくり、図示省略するが、内部に噴射剤とともに、脱臭剤、殺虫剤、化粧液等の内容物を収納する。口部には、マウンテンカップを被せて外周を巻き締め、エアゾール式噴射装置１２を取り付けてなる。
【００２０】
図２には、図１に示すエアゾール式噴射器の要部従断面を示す。
エアゾール式噴射装置１２には、中間に段部１３ａを有する縦筒状のハウジング１３を設ける。ハウジング１３下方の小径部１３ｂ内には、下端部を容器１０の底部近くまでのばすパイプ１４の上端部を圧入する。ハウジング１３上方の大径部１３ｃ内には、スプリング１５を入れて段部１３ａ上に載せてから、バルブステム１６の下部を挿入してスプリング１５上に乗せてなる。
【００２１】
バルブステム１６は、首部１６ａに、内部流路１６ｂと外部とを連通する連通孔１６ｃをあけるとともに、その首部１６ａのまわりに、環板状のパッキン１７の中心孔縁をはめ付けて連通孔１６ｃを塞いでなる。
【００２２】
そして、そのバルブステム１６を、ハウジング１３に対して出し入れ自在に設け、マウンテンカップ１１の中心孔に貫挿する。マウンテンカップ１１は、ハウジング１３の上部に抱き付かせてそのハウジング１３とともに、それで保持するパイプ１４、スプリング１５、バルブステム１６、パッキン１７等を保持する。
【００２３】
マウンテンカップ１１の中心から上向きに突出するバルブステム１６は、上端に操作ボタン１８を取り付ける。操作ボタン１８は、ボタン本体２０の中心に下向きにステム嵌合穴２０ａを設けるとともに、ボタン本体２０の外周面に開口して横向きにノズル嵌合穴２０ｂを設ける。ノズル嵌合穴２０ｂの中心には、開口に向けて突出するようにセンターポスト２０ｃを形成する。そして、そのノズル嵌合穴２０ｂにノズル部材２２をはめ付けてなる。
【００２４】
ノズル部材２２は、センターポスト２０ｃの頂面と対向する内面にスクリュ２２ａを形成してなり、中心に噴口２２ｂをあけてなる。そして、そのノズル部材２２の横向きの噴口２２ａとステム嵌合穴２０ａとを連通する噴出通路２０ｄを、ノズル部材２２の内部に形成してなる。
【００２５】
いま、このエアゾール式噴射器を使用するときは、容器１０を持って操作ボタン１８の頂面のローレット付き指当て部２０ｅに指を当て、操作ボタン１８を押し込む。すると、バルブステム１６を押し下げてパッキン１７を変形し、容器１０の内容物を噴射材の圧力で連通孔１６ｃからバルブステム１６の内部流路１６ｂに入れ、そのバルブステム１６内を通して吐出して操作ボタン１８の噴出通路２０ｄに入れ、その噴出通路２０ｄを通してノズル部材２２のスクリュ２２ａで霧状として噴口２２ｂから外部へと噴射することができる。
【００２６】
ところで、図３には図１および図２に示す操作ボタン１８を斜め上から見て示し、図４（Ａ）には正面から見て、（Ｂ）には真上から見て、（Ｃ）には右側面からそれぞれ見て示す。
【００２７】
図から判るとおり、操作ボタン１８のボタン本体２０には、内部の上述した噴出通路２０ｄを挟む外周両面に平面部２０ｆをほぼ平行に形成するとともに、その平面部２０ｆの上を横方向に突出して平面部２０ｆの上に指掛け段部２０ｇを形成してなる。また、ボタン本体２０の外周中段に上向き段部２０ｈを形成し、その上向き段部２０ｈに、各々平面部２０ｆに隣接して上下に貫通するツール挿入用孔２０ｉをあけてなる。
【００２８】
そして、廃棄時等に、バルブステム１６から操作ボタン１８を取り外すときは、平面部２０ｆに指を当ててつまみ、指掛け段部２０ｇに指を掛けて引き上げ、操作ボタン１８を滑らないようにしっかりとつまみ、またはドライバ等のツールが手元にあるときにはそれをツール挿入用孔２０ｉに挿入して先端を例えばマウンテンカップに当て、てこの働きを利用するなどして、操作ボタン１８を容易に外すことができる。
【００２９】
この例では、操作ボタン１８のボタン本体２０に、指掛け段部２０ｇを形成するとともに、ツール挿入用孔２０ｉを設けたが、指掛け段部２０ｇとツール挿入用孔２０ｉのいずれか一方だけを設けるようにしもよい。ツール挿入用孔２０ｉを設ける場合には、平面部２０ｆは、必ずしも設けなくてもよいが、平面部２０ｆを形成した方が、ツール挿入用孔２０ｉを大きくすることができ、またボタン本体２０の外周側面が邪魔にならずにツール操作を容易とすることができる。
【図面の簡単な説明】
【００３０】
【図１】容器にエアゾール式噴射装置を取り付けてなるエアゾール式噴射器の外観図である。
【図２】図１に示すエアゾール式噴射器の要部従断面図である。
【図３】そのエアゾール式噴射器で用いる操作ボタンの斜視図である。
【図４】（Ａ）は操作ボタンの正面図、（Ｂ）は平面図、（Ｃ）は右側面図である。
【図５】従来のエアゾール式噴射器で用いる操作ボタンの斜視図である。
【符号の説明】
【００３１】
１０    容器
１６    バルブステム
１８    操作ボタン
２０    ボタン本体
２０ａ  ステム嵌合穴
２０ｂ  ノズル嵌合穴
２０ｄ  噴出通路
２０ｆ  平面部
２０ｇ  指掛け段部
２０ｈ  上向き段部
２０ｉ  ツール挿入用孔
２２    ノズル部材
２２ｂ  噴口
【図１】
2008254754.tif 000003
【図２】
2008254754.tif 000004
【図３】
2008254754.tif 000005
【図４】
2008254754.tif 000006
【図５】
2008254754.tif 000007